(57)【要約】【課題】短時間に電源ＯＮ／ＯＦＦ操作を繰り返し行なう場合に、不揮発性メモリーへの累積点灯時間の書き込み回数を増加することを防止することができるプロジェクター及びその制御方法を提供する。【解決手段】ランプ１１の累積点灯時間を記憶する書き換え可能な累積点灯時間記憶部２１と、ランプ１１の点灯時間を所定時間毎にカウントし、累積点灯時間を更新する更新信号を所定時間毎に出力する点灯時間カウント部２３と、電源ＯＦＦ時に点灯時間カウンター２３ａに対して給電を行なうバックアップ電源２３ｃと、更新信号を受け取ると、累積点灯時間に所定時間を加算した値を新たな累積点灯時間として累積点灯時間記憶部２１に記憶させる制御部２０と、を有し、点灯時間カウンター２３ａは、所定時間内に電源４７がＯＦＦされるとバックアップ電源２３ｃからの給電によってカウント値を保持することを特徴とする。【選択図】図１
2011150224.tif 000002
【特許請求の範囲】
【請求項１】
ランプの累積点灯時間を記憶する書き換え可能な不揮発性の記憶部と、
前記ランプの点灯時間を所定時間までカウントし、前記累積点灯時間を更新する更新信号を前記所定時間毎に出力する点灯時間カウント部と、
電源ＯＦＦ時に前記点灯時間カウント部に対して給電を行なうバックアップ電源と、
前記更新信号を受け取ると、前記累積点灯時間に前記所定時間を加算した値を新たな累積点灯時間として前記記憶部に記憶させる制御部と、を有し、
前記点灯時間カウント部は、前記所定時間内に電源がＯＦＦされると前記バックアップ電源からの給電によってカウント値を保持することを特徴とするプロジェクター。
【請求項２】
請求項１に記載のプロジェクターであって、
前記点灯時間カウント部は、カウントしている点灯時間を前記所定時間毎にリセットし、前記累積点灯時間の最新の更新から前記所定時間が経過するまでの間に電源がＯＦＦされると前記更新信号を出力せずに前記カウント値を保持し、前記電源が再度ＯＮされると前記保持されたカウント値に積算して前記点灯時間としてカウントすることを特徴とするプロジェクター。
【請求項３】
請求項１又は２に記載のプロジェクターであって、
前記バックアップ電源は、前記点灯時間カウント部に内蔵されていることを特徴とするプロジェクター。
【請求項４】
請求項１〜３の何れか１項に記載のプロジェクターであって、
前記点灯時間カウント部は、更にリアルタイムクロックを内蔵し、前記電源がＯＦＦされると、前記バックアップ電源からの給電によって現在時刻をカウントすることを特徴とするプロジェクター。
【請求項５】
ランプの累積点灯時間を記憶する書き換え可能な不揮発性の記憶部を備えたプロジェクターの制御方法であって、
ランプの点灯時間を所定時間までカウントし、前記累積点灯時間を更新する更新信号を前記所定時間毎に出力するステップと、
前記所定時間内に電源がＯＦＦされるとバックアップ電源からの給電によってカウント値を保持するステップと、
前記更新信号に応じて、前記累積点灯時間に前記所定時間を加算した値を新たな累積点灯時間として前記記憶部に記憶するステップと、を含むことを特徴とするプロジェクターの制御方法。
【発明の詳細な説明】
【技術分野】
【０００１】
本発明は、プロジェクター及びその制御方法に関する。
【背景技術】
【０００２】
ランプの累積点灯時間をカウントし、予め定めた累積点灯時間を経過すると、警告などを表示してランプユニットの交換を促すプロジェクターが知られている。通常、累積点灯時間は、ＥＥＰＲＯＭなどの書き換え可能な不揮発メモリーに記憶されている。
【０００３】
不揮発性メモリーは書き換え回数に制限があり、制限回数を超えると、正常に記憶することができなくなったり、一度記憶した値が壊れたり消えてしまったりする確率が上昇する。このため、不揮発性メモリーへの累積点灯時間の書き込み回数は、なるべく少ない方がよい。一般に、不揮発性メモリーへの累積点灯時間の書き込みは、ランプの電源がＯＦＦされる時に行なわれる。
【０００４】
また、特許文献１には、停電や主電源を切られたときに生じる点灯時間の積算ミスを防止するため、所定時間毎に、ＥＥＰＲＯＭに対する累積点灯時間の書き込みを行う発明が開示されている。
【先行技術文献】
【特許文献】
【０００５】
【特許文献１】特開２００４−２０５９０８号公報
【発明の概要】
【発明が解決しようとする課題】
【０００６】
ところで、プロジェクターをデモンストレーションで使用するような場合は、短時間の間にランプの電源のＯＮ／ＯＦＦが繰り返されることがある。このような使用形態において、電源ＯＦＦ時に累積点灯時間の書き込みを行なうと、短時間に書き込み回数が増大する。例えば、１０分間に５回の電源ＯＮ／ＯＦＦ操作を行なうと、わずか１０分の間に５回も不揮発性メモリーに対して累積点灯時間を書き込むことになる。これを続ければ、不揮発性メモリーは早期に寿命に達する可能性がある。また、特許文献１に記載の発明の場合、通常の使用状態においても所定時間毎に累積点灯時間を書き込むため、必然的に書き込み回数は増加する。
【０００７】
本発明は、上記課題を解決するためになされたものであって、短時間に電源ＯＮ／ＯＦＦ操作を繰り返し行なう場合に、不揮発性メモリーへの累積点灯時間の書き込み回数を増加することを防止することができるプロジェクター、その制御方法を提供することを目的とする。
【課題を解決するための手段】
【０００８】
上記課題を解決することのできる本発明は、ランプの累積点灯時間を記憶する書き換え可能な不揮発性の記憶部と、前記ランプの点灯時間を所定時間までカウントし、前記累積点灯時間を更新する更新信号を前記所定時間毎に出力する点灯時間カウント部と、電源ＯＦＦ時に前記点灯時間カウント部に対して給電を行なうバックアップ電源と、前記更新信号を受け取ると、前記累積点灯時間に前記所定時間を加算した値を新たな累積点灯時間として前記記憶部に記憶させる制御部と、を有し、前記点灯時間カウント部は、前記所定時間内に電源がＯＦＦされると前記バックアップ電源からの給電によってカウント値を保持することを特徴とする。
上記構成によれば、点灯時間カウント部は電源がＯＦＦされると、バックアップ電源からの給電によってカウント値を保持することができるので、更新信号を出力する前に電源がＯＦＦされても、その時点では記憶部への累積点灯時間の書き込みを行なわない。このため、短時間に電源ＯＮ／ＯＦＦ操作を繰り返し行なっても、所定時間より短い時間内のＯＮ／ＯＦＦ操作であれば、その都度書き込み処理を行うことがない。したがって、不揮発性メモリーへの累積点灯時間の書き込み回数が増加することを防止することができる。
【０００９】
また、本発明のプロジェクターにおいて、前記点灯時間カウント部は、カウントしている点灯時間を前記所定時間毎にリセットし、前記累積点灯時間の最新の更新から前記所定時間が経過するまでの間に電源がＯＦＦされると前記更新信号を出力せずに前記カウント値を保持し、前記電源が再度ＯＮされると前記保持されたカウント値に積算して前記点灯時間としてカウントすることが好ましい。
上記構成によれば、電源が再度ＯＮされると、保持していたカウント値に積算してカウントを再開するので、所定時間が経過したときに点灯時間を加算して新しい累積点灯時間として更新することができる。
【００１０】
また、本発明のプロジェクターにおいて、前記バックアップ電源は、前記点灯時間カウント部に内蔵されていることが好ましい。
上記構成によれば、点灯時間カウント部にバックアップ電源が内蔵されているので、バックアップ電源が消耗した場合でも、点灯時間カウント部のバックアップ電源を交換するだけでよいので、メンテナンスを容易に行なうことができる。
【００１１】
また、本発明のプロジェクターにおいて、前記点灯時間カウント部は、更にリアルタイムクロックを内蔵し、前記電源がＯＦＦされると、前記バックアップ電源からの給電によって現在時刻をカウントすることが好ましい。
上記構成によれば、点灯時間カウント部はリアルタイムクロックを内蔵しているので、リアルタイムクロックにより時間毎、日付毎のデータとして点灯時間をカウントできるので容易に積算点灯時間の比較が可能となるとともに、最小限の消費電流により長い動作寿命を実現できる。
【００１２】
また、上記課題を解決することのできる本発明は、ランプの累積点灯時間を記憶する書き換え可能な不揮発性の記憶部を備えたプロジェクターの制御方法であって、ランプの点灯時間を所定時間までカウントし、前記累積点灯時間を更新する更新信号を前記所定時間毎に出力するステップと、前記所定時間内に電源がＯＦＦされるとバックアップ電源からの給電によってカウント値を保持するステップと、前記更新信号に応じて、前記累積点灯時間に前記所定時間を加算した値を新たな累積点灯時間として前記記憶部に記憶するステップと、を含むことを特徴とする。
上記構成によれば、短時間に電源ＯＮ／ＯＦＦ操作を繰り返し行なっても、所定時間より短い時間内のＯＮ／ＯＦＦ操作であれば、その都度書き込み処理を行うことがない。したがって、不揮発性メモリーへの累積点灯時間の書き込み回数が増加することを防止することができる。
【図面の簡単な説明】
【００１３】
【図１】本実施形態のプロジェクターの内部構成を示すブロック図である。
【図２】本実施形態のプロジェクターが電源ＯＮ時に行う累積点灯時間の更新処理を説明するためのフローチャートである。
【図３】本実施形態のプロジェクターが電源ＯＦＦ時に行う処理を説明するためのフローチャートである。
【発明を実施するための形態】
【００１４】
以下、本発明に係るプロジェクター、その制御方法及び制御プログラムの好適な実施形態について、図面を参照して詳細に説明する。
【００１５】
（プロジェクターの内部構成について）
本実施形態のプロジェクターの内部構成について図１を参照して説明する。
図１に示すように、プロジェクター１は、ランプ１１と、光変調手段である液晶ライトバルブ１２Ｒ，Ｇ，Ｂと、投写光学系１３と、液晶ライトバルブ駆動部１４と、制御部２０と、累積点灯時間記憶部２１と、点灯時間カウント部２３と、電源供給部２５と、映像音声処理部３２と、フレームメモリー３３と、映像処理部３４と、音声処理部３５と、スピーカー３６と、ＯＳＤ（On Screen Display）処理部３８と、ランプ駆動部４０と、操作信号処理部４３と、操作パネル４４と、入力端子４５と、電源４７と、を備えている。
【００１６】
投写光学系１３は投写レンズ１３ａを有している。プロジェクター１は、入力端子４５から供給される映像信号に応じた光学像を投写し、投写レンズ１３ａを介して、スクリーン、白壁又はホワイトボード等の被投写体（以下、本実施形態では「スクリーンＳＣ」という。）に拡大して投写する。
【００１７】
制御部２０は、累積点灯時間記憶部２１、点灯時間カウント部２３、電源供給部２５、映像信号処理部３２、ＯＳＤ処理部３８、ランプ駆動部４０、操作信号処理部４３と接続されている。この制御部２０は、マイクロプロセッサーと、不揮発性の記憶部と、マイクロプロセッサーが直接アクセスすることができる主記憶部と、を備えている。不揮発性の記憶部には、プロジェクター１の各種動作を制御するための制御プログラム、台形歪補正量の表示などのＯＳＤ映像を生成するためのＯＳＤ情報を記憶するとともに、プロジェクター１の各種設定値等が記憶されている。
【００１８】
マイクロプロセッサーは、不揮発性の記憶部に記憶された制御プログラム等を実行して、プロジェクター１の動作を統括制御し、制御部２０に接続された各部から入力される各種データを演算するとともに、演算結果を各部に出力する。
【００１９】
累積点灯時間記憶部２１は、例えばＥＥＰＲＯＭやフラッシュメモリーなどの書き換え可能な不揮発性の記憶部であり、ランプ１１の点灯時間の積算値、つまり累積点灯時間を記憶する。
【００２０】
点灯時間カウント部２３は、ランプ１１の点灯時間をカウントする点灯時間カウンター２３ａと、現在時刻をカウントするリアルタイムクロック２３ｂと、電源ＯＦＦ時に前記点灯時間カウンター２３ａに対して給電を行なうバックアップ電源２３ｃと、電源供給元を切り替える回路である電源切替部２３ｄと、を内蔵している。
点灯時間カウンター２３ａはランプ１１の点灯時間を所定時間に達するまでカウントを続け、所定時間毎にカウントしている点灯時間をリセットする。点灯時間カウント部２３は、累積点灯時間を更新する更新信号を所定時間毎に制御部２０へ出力する。
【００２１】
また、点灯時間カウント部２３は、電源切替部２３ｄを切り替えることによって、点灯時間カウンター２３ａは、バックアップ電源２３ｃ又は電源４７から電力の供給を受けることができる。つまり、点灯時間カウンター２３ａは、電源４７がＯＮの場合は電源４７からの電力供給を受け、電源４７がＯＦＦの場合はバックアップ電源２３ｃから電力供給を受ける。
【００２２】
そして、点灯時間カウント部２３は、累積点灯時間記憶部２１への累積点灯時間の最新の更新から所定時間が経過するまでの間に電源４７がＯＦＦされると、更新信号を制御部２０へ出力せずにカウントを中断する。そして、電源４７が再度ＯＮされると、点灯時間カウンター２３ａは保持していたいカウント値に積算して点灯時間としてカウントする。なお、点灯時間カウンター２３ａは、点灯時間のカウントを中断すると、それまでにカウントした点灯時間を保持する。このように、プロジェクター１の電源４７が所定時間内にＯＦＦされた場合でも、上述したバックアップ電源２３ｃからの給電により、点灯時間カウンター２３ａがそれまでカウントしていた点灯時間（カウント値）を保持しておくことができる。
【００２３】
リアルタイムクロック２３ｂは、点灯時間カウンター２３ａと同様に、バックアップ電源２３ｃ又は電源４７から電力の供給を受けることができる。電源４７がＯＮの場合は電源４７からの電力供給を受け、電源４７がＯＦＦの場合はバックアップ電源２３ｃからの電力の供給を受ける。
【００２４】
電源供給部２５は、電源４７からの電力を制御部２０へ供給可能な電圧に変換して制御部２０に供給する。また、ランプ駆動部４０へ供給可能な電圧に変換してランプ駆動部４０へ供給する。さらに、点灯時間カウント部２３へ供給可能な電圧に変換して点灯時間カウント部２３へ供給する。
【００２５】
制御部２０は、点灯時間カウント部２３からの所定時間毎の更新信号を受けて、累積点灯時間記憶部２１に保持されている累積点灯時間を読み出し、点灯時間カウンター２３がカウントしていた点灯時間を加算して、新たな累積点灯時間として累積点灯時間記憶部２１に書き込む。
【００２６】
映像音声処理部３２は、入力端子４５から受信した映像信号をデコードして圧縮符号化前の映像データに変換し、これらをたとえばＲＧＢ信号に変換して順次映像処理部３４に出力する。また、音声入力端子から入力される音声信号についても同様にデコードを行い、Ｄ／Ａ変換により音声データに変換し、順次音声処理部３５に出力する。映像音声処理部３２にはフレームメモリー３３が接続されており、映像データを１フレーム毎にフレームメモリー３３に記憶させるとともに、フレームメモリー３３に記憶された映像データを読み出す。
【００２７】
映像処理部３４は、映像音声処理部３２より受信したＲＧＢ信号に対してγ補正処理、台形補正処理、解像度変換処理などを行い、液晶ライトバルブ駆動部１４に出力する。
【００２８】
液晶ライトバルブ駆動部１４は、入力されたＲＧＢ信号に応じて、液晶ライトバルブ１２Ｒ，Ｇ，Ｂを駆動する。各液晶ライトバルブ１２Ｒ，Ｇ，Ｂは、マトリクス状の複数の画素を備えている。液晶ライトバルブ駆動部１４により各画素の透過率が調整されることにより、ランプ１１から射出され、色光分離光学系によって各色光に分離された、Ｒ（赤）、Ｇ（緑），Ｂ（青）の各色光を対応する液晶ライトバルブ１２Ｒ，Ｇ，Ｂによって変調して光学像を射出する。液晶ライトバルブ１２Ｒ，Ｇ，Ｂから射出される光学像は、クロスダイクロイックプリズムなどの合成光学系により合成され、投写光学系１３の投写レンズ１３ａによってスクリーンＳＣ上に拡大投写される。
【００２９】
音声処理部３５は、映像音声処理部３２より受信した音声データをスピーカー３６に出力する。なお、音声処理部３５は、音量増幅部を有しており、音量の増幅を行ってスピーカー３６に出力する。これにより、スピーカー３６は、増幅されて入力するアナログ音声信号を出力する。
【００３０】
ＯＳＤ処理部３８は、メニュー映像や映像入力端子を検出する際の映像等のＯＳＤ情報を制御部２０から受信して、ＯＳＤ映像を生成する。また、生成したＯＳＤ映像と映像処理部３４から受信した映像データを合成し、液晶ライトバルブ駆動部１４へ送信する。例えば、ランプ１１の累積点灯時間が寿命時間に到達した場合は、ランプ１１の寿命を知らせるための映像データを生成し、液晶ライトバルブ駆動部１４へ送信する。
【００３１】
ランプ駆動部４０は、制御部２０からの指示に従って、ランプ１１を点灯又は消灯させる点灯手段であり、例えばランプ１１が高圧放電灯の場合には、始動電圧を印加する点灯回路や、適正なランプ電流を供給する安定器などにより構成される。
【００３２】
操作信号処理部４３は、操作パネル４４又はリモコンＲＣから入力された操作信号を受信し、これを制御部２０に出力する。
【００３３】
＜累積点灯時間を更新する処理について＞
次に、本実施形態のプロジェクターが実行する累積点灯時間の更新処理について図２及び図３を参照して説明する。以下では、電源ＯＦＦ時における累積点灯時間の書き込みを省略することで、不揮発性の記憶部である累積点灯時間記憶部２１への書き込み回数を従来よりも減らす一方で、どのように正確な累積点灯時間を保持するのかについて説明する。
【００３４】
まず図２に示すように、電源４７がＯＮされると（ステップＳ１１：Ｙｅｓ）、電源供給部２５から制御部２０用に変換された電力が制御部２０へ供給され、ランプ駆動部４０用に変換された電力がランプ駆動部４０へ供給され、さらに、点灯時間カウント部２３用に変換された電力が点灯時間カウント部２３へ供給される。ランプ駆動部４０は、制御部２０からの指示に従ってランプ１１を点灯する（ステップＳ１３）。
【００３５】
点灯時間カウンター２３ａは、電源４７による電力供給によって、点灯時間のカウントを開始する（ステップＳ１５）。また、リアルタイムクロック２３ｂは、電源４７による電力供給による現在時刻のカウントを行なう。点灯時間カウンター２３ａは、所定時間として例えば１０分を経過したか否かを判定し（ステップＳ１７）、１０分を経過すると（ステップＳ１７：Ｙｅｓ）、点灯時間カウンター２３は制御部２０へ累積点灯時間を更新するために更新信号を出力する。制御部２０は、更新信号に応じて、それまでにカウントしていた１０分を累積点灯時間に加算し、新たな累積点灯時間として累積点灯時間記憶部２１へ書き込み、更新する（ステップＳ１９）。
【００３６】
点灯時間カウンター２３ａは、１０分を経過すると、カウンターをリセットし（ステップＳ２１）、ステップＳ１７へ戻って再び１０分のカウントを開始する。
【００３７】
ここで、図３に示すように、点灯時間カウンター２３ａによる１０分毎のカウント中に、電源４７がＯＦＦされると（ステップＳ３１：Ｙｅｓ）、ランプ駆動部４０用に変換された電力の供給が停止され、ランプ駆動部４０はランプ１１を消灯する（ステップＳ３３）。さらに、点灯時間カウント部２３用に変換された電力の供給が停止される。
【００３８】
点灯時間カウント部２３の、電源切替部２３ｄはバックアップ電源２３ｃからの電力供給に切り替える。点灯時間カウンター２３ａは点灯時間のカウントを中断し、これまでカウントしていた点灯時間をバックアップ電源２３ｄからの給電によって保持する（ステップＳ３５）。例えば、１０分のうち６分経過した時点で電源４７がＯＦＦされた場合、点灯時間カウンター２３ａは６分を保持してカウントを中断する。制御部２０は、電源ＯＦＦ処理を実行して処理を終了する（ステップＳ３７）。
【００３９】
点灯時間カウンター２３ａが６分を保持した状態で電源４７がＯＮされると、再び図２の処理が実行される。この場合、ステップＳ１５において、点灯時間カウンター２３ａは、中断していたカウントを、バックアップ電源２３ｃによって保持していた６分から再開する。その後、４分を積算して所定時間の１０分が経過すると（ステップＳ１７：Ｙｅｓ）、制御部２０は、累積点灯時間に１０分を加算して累積点灯時間記憶部２１の値を更新し（ステップＳ１９）、点灯時間カウンター２３ａはカウンターの値をリセットする。
【００４０】
このように、本実施形態によれば、ステップＳ１９における累積点灯時間の最新の更新から所定時間が経過するまでの間に電源４７がＯＦＦされると（ステップＳ３１：Ｙｅｓ）、点灯時間カウント部２３は更新信号を出力することなく、点灯時間カウンター２３ａはカウントを中断する（ステップＳ３５）。このため、所定時間内に電源ＯＮ／ＯＦＦ操作が繰り返し行われても、累積点灯時間の更新処理、すなわち不揮発性の記憶部である累積点灯時間記憶部２１への書き込み処理を行なわない。従来のように電源ＯＦＦ時に累積点灯時間の書き込み処理を行わないので、短時間に電源ＯＮ／ＯＦＦ操作を繰り返し行なう場合でも、不揮発性メモリーへの累積点灯時間の書き込み回数を増加することを防止することができる。
【００４１】
また、本実施形態の点灯時間カウンター２３は、電源４７がＯＦＦされても、バックアップ電源から供給される電力によって、カウントしていた点灯時間を保持することができる。このため、再び電源４７がＯＮされて点灯時間のカウントを再開してから、所定時間が経過したときに、確実に累積点灯時間に点灯時間を加算し、更新することができる。
【００４２】
また、本実施形態のように所定時間を短時間に設定しておくことで、万が一、点灯時間カウンター２３のバックアップ電源がなくなって、それまでカウントし保持していた値がクリアされてしまっても、点灯時間のカウント誤差を所定時間内に抑えることができる。
【００４３】
また、点灯時間カウント部２３には、点灯時間カウンター２３ａの他、バックアップ電源２３ｃが内蔵されているので、バックアップ電源２３ｃが消耗した場合でも、点灯時間カウント部２３を交換するだけでよいので、メンテナンスを容易に行なうことができる。
【００４４】
また、点灯時間カウント部２３はリアルタイムクロック２３ｂを内蔵しているので、リアルタイムクロック２３ｂにより時間毎、日付毎のデータとして点灯時間をカウントできるので容易に積算点灯時間の比較が可能となるとともに、最小限の消費電流により長い動作寿命を実現できる。さらに、バックアップ電源２３ｃが消耗して現在時刻をカウントできなくなった場合も、点灯時間カウント部２３を交換するだけでよいので、メンテナンスを容易に行なうことができる。
【００４５】
なお、上記実施形態では、点灯時間カウンター２３ａを利用して所定時間毎の点灯時間のカウントを実行したが、リアルタイムクロック２３ｂを利用して所定時間毎の点灯時間のカウントを行なってもよい。例えば、制御部２０へ更新信号を出力した時刻と、電源４７がＯＦＦされた時刻と、をバックアップ電源２３ｃによって不揮発性を実現するメモリーに記憶し、更新信号を出力した時刻から電源４７がＯＦＦされた時刻までの経過時間に、電源４７がＯＮされた後の経過時間を積算して、所定時間が経過したときに累積点灯時間記憶部２１へ書き込みを行なうようにすればよい。
【００４６】
また、上述した累積点灯時間の更新処理は、プロジェクター１のデモンストレーションなどのように、短時間に電源４７のＯＮ／ＯＦＦが繰り返し実行されるような使用形態において特に有効である。従来のように電源ＯＦＦ時に累積点灯時間の更新を行なう場合であれば、例えば電源４７のＯＮ／ＯＦＦが１０分間に５回行なわれると、累積点灯時間記憶部２１への書き込みも５回実行しなければならない。しかし、本実施形態によれば、１０分経過するまでは書き込み処理を行わないので、累積点灯時間の書き込み処理は１０分経過後に１度だけ実行すればよい。したがって、通常の使用形態とは異なる使用を行う場合に、予めメニュー設定などで設定変更を行うことで本実施形態の更新処理が実行されるよう構成することが好ましい。
【００４７】
なお、上記実施形態では、光源からの光を光変調部である液晶ライトバルブ１２Ｒ，Ｇ，Ｂによって変調し投写する液晶ライトバルブ方式のプロジェクターを例示したが、本発明はその他の方式を採用するプロジェクターにも適用することもできる。具体的には、ＤＭＤ（Digital Micro mirror Device）を用いた投写方式、所謂、ＤＬＰ（Digital Light Processing）（登録商標）方式である。すなわち、ＤＬＰ方式は白色に光るランプの光をレンズで集光してＤＭＤに当て、ＤＭＤの個々のミラーがオン状態に傾いているときの光を他のレンズで拡大し、スクリーンに投影する方式であり、本発明はこのような方式のプロジェクターにも適用することができる。
【符号の説明】
【００４８】
１：プロジェクター、１１：ランプ、１２Ｒ，Ｇ，Ｂ：液晶ライトバルブ、１３：投写光学系、１４：液晶ライトバルブ駆動部、２０：制御部、２１：累積点灯時間記憶部（記憶部）、２３：点灯時間カウント部、２３ａ：点灯時間カウンター、２３ｂ：リアルタイムクロック、２３ｃ：バックアップ電源、２３ｄ：電源切替部、２５：電源供給部、３２：映像音声処理部、３３：フレームメモリー、３４：映像処理部、４０：ランプ駆動部、４３：操作信号処理部、４４：操作パネル、４５：入力端子、４７：電源、ＲＣ：リモコン、ＳＣ：スクリーン。
【図１】
2011150224.tif 000003
【図２】
2011150224.tif 000004
【図３】
2011150224.tif 000005